(57)【要約】      （修正有）【課題】金融機関の実務に適し、かつ、不正出金被害を防止できる安全管理に適した預貯金通帳や証書の提供及びそのための預貯金通帳や証書への表示方法を提供する。【解決手段】預貯金通帳・証書に、照合確認表示欄として、写真付公的証明書用の照合確認表示欄を設ける。また、上記の預貯金通帳・証書において、写真付公的証明書用の照合確認表示欄を、不正出金防止シールにより設ける。また、写真付公的証明書用の照合確認表示欄に、本人以外の出金が不可である旨を併記する。さらに、写真付公的証明書用の照合確認表示欄に、ＡＴＭカードを発行しない旨を併記する。【選択図】図４
2005262855.tif 000002
【特許請求の範囲】
【請求項１】
預貯金の通帳・証書の照合確認表示欄として、写真付公的証明書用の照合確認表示欄を設けたことを特徴とする預貯金通帳・証書。
【請求項２】
写真付公的証明書用の照合確認表示欄が、不正出金防止シールにより設けられたことを特徴とする請求項１記載の預貯金通帳・証書。
【請求項３】
写真付公的証明書用の照合確認表示欄に、本人以外の出金が不可である旨を併記した請求項１又は請求項２記載の預貯金通帳・証書。
【請求項４】
写真付公的証明書用の照合確認表示欄に、ＡＴＭカードを発行しない旨を併記した請求項１又は請求項２記載の預貯金通帳・証書。
【発明の詳細な説明】
【技術目的】
【０００１】    本発明は、銀行や郵便局などの金融機関における、所有者名義を記載する形態の預貯金の通帳や証書に関するものである。
【背景技術】
【０００２】    預金の不正出金を防止するため、預金通帳に顔写真を貼付する「写真貼付預金通帳」が先行技術としてある（例えば、特許文献１参照）。
また、預金の不正出金の防止と機械処理による支障を取り除くため、預金通帳に顔写真などを転写する「写真付き預金通帳・証書」が先行技術としてある（例えば、特許文献２参照）。
また、印鑑シールの改ざんを防止する「オーバーシー卜」が先行技術としてある（例えば、特許文献３参照）。
【特許文献１】          実開平１−１０１８７２号公報（請求項１〜２、図１〜２）
【特許文献２】          実登３０１５２８９号公報（請求項１〜２、図１〜３）
【特許文献３】          特開平１０−１８１２５１号公報（請求項１〜２、図１〜３）
【発明の開示】
【発明が解決しようとする課題】
【０００３】    近年、預貯金通帳の盗難被害と、それに伴う不正出金被害が多発している。また、ＡＴＭカードの偽造と、それに伴うに不正出金被害も多発している。
こうした社会状況の中、不正出金の不安に怯える預貯金者も多く、不正出金被害を防止できる安全管理に適した通帳や証書が望まれている。
先行技術の中に、不正出金被害を防止するため、預貯金通帳に顔写真を貼付したり転写したりする方法が提唱されているが、顔写真の作成、更新や家族などによる出金に対する実務処理に問題がある。
こうした実情に鑑み、金融機関の実務に適し、かつ、不正出金被害を防止できる安全管理に適した預貯金通帳や証書の提供及びそのための預貯金通帳や証書への表示方法の提供を目的とするものである。
【課題を解決するための手段】
【０００４】    上記課題を解決するため、本発明の預貯金通帳・証書では、照合確認表示欄として、写真付公的証明書用の照合確認表示欄を設ける。【０００５】    また、請求項１の預貯金通帳・証書において、写真付公的証明書用の照合確認表示欄を、不正出金防止シールにより設ける。【０００６】    また、請求項１又は請求項２の預貯金通帳・証書において、写真付公的証明書用の照合確認表示欄に、本人以外の出金が不可である旨を併記する。【０００７】    また、請求項１又は請求項２の預貯金通帳・証書において、写真付公的証明書用の照合確認表示欄に、ＡＴＭカードを発行しない旨を併記する。
【発明の効果】
【０００８】    本願請求項１による預貯金通帳や証書のように、写真付公的証明書用の照合確認表示欄を設けた場合、預貯金者の申し出を受けた金融機関は、預貯金者との合意事項として照合確認表示欄に運転免許証やパスポートとの照合確認を要する旨を表示できるので、金融機関に申し出をした預貯金者の通帳や証書は、運転免許証やパスポートなど写真付の公的証明書との照合確認が実施されることで、本人確認の確度が向上し、不正出金を防止する効果が高められる。
また、上記の預貯金通帳や証書から不正出金をしようとする場合、預貯金通帳及び登録印鑑の窃盗と合わせ、不正出金者の顔写真が付いた預貯金名義人と同一名の運転免許証やパスポートを偽造しなければならず、不正出金に対する強い抑止力が生じる。
なお、口座開設の申し出を受けた時に、運転免許証やパスポートの顔写真などの内容をコンピュータに登録しておき、出金時に登録内容と運転免許証やパスポートとを確認する方法を採択することにより、運転免許証やパスポートが偽造された場合にも不正出金を防止することが可能となる。
また、上記の預貯金通帳や証書では、運転免許証やパスポートを呈示しない出金要請者に対しての出金を合意事項に違反することを事由に拒否することができるので、運転免許証やパスポートの携行忘れや運転免許証やパスポートの紛失などを口実にした写真付公的証明書を呈示しない不正出金の要請を排除したり抑止したりすることができる。
また、上記の預貯金通帳は、定期預金にするほど期間的余裕のない大金や何時でも出金できる状態に確保しておきたい大金を不正出金の防止と抑止を目的として預けたい預貯金者に、不正出金の防止力と抑止力に優れた預貯金通帳として提供することができる。
最近、盗難に伴う不正出金の防止を目的として、預貯金通帳に印影を表示しない方法も採択されているが、この方法による場合、印影資料の整理とその印影資料を取り出し、該当の印影を探し出して印鑑照合するという処理が煩雑になり事務処理費が嵩むという欠点があると共に、正当なる預貯金者の登録印鑑の忘却に伴う問い合わせや記憶誤りなどによる登録印鑑と異なる印鑑による出金行為と、不正出金者の登録印鑑の忘却を装う問い合わせや記憶誤りを装う登録印鑑と異なる印鑑による出金行為との見極めが出来ないという欠点がある。本願による預貯金通帳や証書では、預貯金通帳に印影を表示しない方法による上記欠点を取り除くことができる。
運転免許証やパスポートの呈示の合意を得ていない金融機関が、不正出金防止対策として運転免許証やパスポートの呈示を任意に求めた場合、出金者との間でトラブルが生じるが、上記の預貯金通帳や証書では、運転免許証やパスポートの呈示を求めた場合にも出金者との間にトラブルが生じない。
また、写真付でない本人証明資料（例えば、健康保険証）と照合確認をする場合、預貯金通帳や証書と共にその写真付でない本人証明資料が盗まれたケースでは、不正出金を防止することができない。本願発明による預貯金通帳や証書では、こうしたケースでも不正出金を防止することができる。
既述の理由により、写真付公的証明書用の照合確認表示欄を設けた預貯金通帳や証書は、不正出金被害を防止できる安全管理に適した通帳や証書として提供することができると共に、不正出金の不安に怯える預貯金者の不安を取り除くことができる。
また、写真付公的証明書用の照合確認表示欄を設ける方法を採択することにより、不正出金の不安に怯える預貯金者の不安を取り除くことができるので、当該方法を採択していない金融機関の預貯金者からの、口座を移すための新規口座開設が期待できる。
また、通帳や証書に顔写真を貼付したり転写したりする方法に比べると、写真付公的証明書である運転免許証やパスポートと照合確認する方法の場合、本人確認用の写真作成が省略できるので好都合である。
また、通帳や証書に顔写真を貼付したり転写したりする方法に比べると、運転免許証やパスポートと照合確認する場合、一定期間が経過すれば顔写真が更新されるので、経年経過による顔写真の更新が不要となるので好都合である。
また、通帳や証書に顔写真を貼付したり転写したりする方法に比べると、運転免許証やパスポートと照合確認する方法の場合、転写するための設備機械を必要とせず、また、くり抜き部分を設けた特殊形態の通帳を作成しなくても実施することができる。
また、通帳や証書に顔写真を転写する方法に比べると、運転免許証やパスポートと照合確認する方法の場合、口座開設時の作業が窓口から移動しないで作成することができる。逆にいうと、通帳や証書に顔写真を転写する場合、転写するためのコピー作業を必要とし、コピー機までの移動をしいられるか、さもなくば、窓口毎にコピー機を備えつけなければならなくなる。
また、運転免許証やパスポートと照合確認する方法を取り入れた口座開設時の作業は、印鑑シールの作業マニュアルを応用して容易に実施することができるので、導入に対する経営者や従業員の抵抗感が少ない。また、運転免許証やパスポートと照合確認する方法の場合、通帳や証書にコピー機などで顔写真を転写して偽造される虞がない。
なお、照合確認表示欄と名称表示欄とを兼用して表示する方法を採択した写真付公的証明書照合式の預貯金通帳や証書の場合、新様式の預貯金通帳類の作成と従来の預貯金通帳類との使い分けを必要とするが、口座開設時の作業を省力化することができるので好都合である。また、定期預金など出金回数が少なく、預貯金額の多い通帳類に用いることにより、事務煩雑を避けながら不正出金の防止と抑止を効率的に行うことができるので好都合である。
また、本願請求項２のように、写真付公的証明書用の照合確認表示欄を不正出金防止シールにより設ける場合、印鑑シールの技術に倣って照合確認表示欄の改ざんを防止することができる。
また、従来の預貯金通帳や証書の余白部に不正出金防止シールを貼付する方法で照合確認表示欄を形成することができ、預貯金通帳や証書を刷り替えずに実施することもできるので好都合である。
また、写真付公的証明書用の照合確認表示欄を不正出金防止シールにより表示する場合、写真付公的証明書用の照合確認表示欄の視認性が高められるので、運転免許証やパスポートとの照合確認のし忘れを防止することができる。
また、不正出金防止シールは、繰越しにより新規に通帳を作る場合にも、貼り替えずに新しい不正出金防止シールを貼付することにより処理できるので好都合である。（印鑑シールは貼り替えが必要である）
なお、不正出金防止シールにも、印鑑シールに用いられているオーバーシートを被せる技術を取り入れ、改ざん防止力を高めることができる。
また、本願請求項３のように、写真付公的証明書用の照合確認表示欄に、本人以外の出金が不可である旨を併記することにより、預金通帳や登録印鑑と共に運転免許証やパスポートを預かってきたことなどを口実にした、運転免許証やパスポートに表示される預貯金者以外の者からの出金の要請を排除したり抑止したりすることができる。
また、本願請求項４のように、写真付公的証明書用の照合確認表示欄に、ＡＴＭカードを発行しない旨を併記することにより、ＡＴＭカードを誤って交付するのを防止することができると共に、ＡＴＭカードを発行しないことにより偽造ＡＴＭカードによる不正出金を防止することができる。
【発明を実施するための最良の形態】
【０００９】  本発明請求項１の預貯金通帳や証書では、照合確認表示欄として、写真付公的証明書用の照合確認表示欄を設ける。
照合確認表示欄とは、預貯金通帳や証書からの出金時に照合確認するため、照合確認を要する物を表示したり照合確認を要する旨などを表示したりする欄、及びその表示したものをいう。
写真付公的証明書用の照合確認表示欄には、運転免許証やパスポートなどの写真付公的証明書との照合確認を要する旨の表示がされる。
この、写真付公的証明書との照合確認を要する旨の表示は、預貯金者の申し出を受けた金融機関が、出金時には必ず運転免許証やパスポートなどの写真付公的証明書の呈示を受けて照合確認することを合意の上、当該預貯金通帳や証書に表示される。
従って、写真付公的証明書用の照合確認表示欄は、写真付公的証明書との照合確認をする必要のある預貯金通帳や証書であることを明確に判断できるよう視認性の高い方法で表示し、照合確認をし忘れないようにする必要がある。
また、写真付公的証明書との照合確認を要する旨の表示は、預貯金者と金融機関が写真付公的証明書と照合確認をする旨の合意したことを表示するものでもあるから、定められた場所に定められた方法で、定められた文言や図などで表示することができる。
また、写真付公的証明書用の照合確認表示欄は、欄を設けた枠付きタイプに形成したり、枠なしタイプに形成したりすることができる。
また、写真付公的証明書との照合確認は、運転免許証やパスポートの何れかに限定するという条件にしたり、或いは、写真付公的証明書の何れでもよいという条件にしたりすることができる。
合意を得た預貯金者の通帳や証書には、写真付公的証明書用の照合確認表示欄に、写真付公的証明書との照合確認を要する旨の表示を、例えば、以下のように表示できる。
照合確認表示欄が枠付きタイプに形成される場合、枠で囲まれた欄には「確認欄」や「公的証明書照合欄」などのタイトルを付けることが望ましく、また、枠で囲まれた欄の中には、例えば、「運転免許証」や「パスポート」と文字で略記して表示したり、或いは、「☆」などの符号や記号で表示したりすることによっても、運転免許証やパスポートなどの写真付公的証明書との照合確認を要する旨の表示とすることができる。
また、照合確認表示欄が枠なしタイプの場合、例えば、「運転免許証照合」「パスポート確認」などの文字で簡記して表示したり、或いは、運転免許証やパスポートを表現した図形で表示したりすることによっても、運転免許証やパスポートなどの写真付公的証明書との照合確認を要する旨の表示とすることができる。
写真付公的証明書用の照合確認表示欄には、運転免許証やパスポートの番号などを付記する形態も採択できる。
写真付公的証明書用の照合確認表示欄の表示場所は、印鑑表示欄の表示場所と並ぶように設けることが望ましい。ただし、印鑑表示欄の表示場所と異なる場所、例えば、預貯金通帳や証書の表紙表面などへの表示を禁じるものではない。
また、写真付公的証明書用の照合確認表示欄は、預貯金通帳や証書の印鑑表示欄や名称表示欄（名称表示欄とは、例えば、「普通預金通帳」などと表示される欄をいう）と兼用して表示する方法を採択することもできる。
従って、預貯金通帳や証書の表紙表面に、照合確認表示欄と名称表示欄とを兼用して表示する方法により、例えば、「写真付公的証明書照合式通帳」や「運転免許証照合型定期預金」などの表示をもって、写真付公的証明書用の照合確認表示欄の表示とすることができる。この場合、「写真付公的証明書照合式通帳」や「運転免許証照合型定期預金」などの文言は、写真付公的証明書との照合確認を要する旨の表示を兼用するものとなる。
本発明請求項２の預貯金通帳や証書では、写真付公的証明書用の照合確認表示欄を不正出金防止シールにより設ける。
不正出金防止シールは、貼付するための機能や改ざんを防止するための機能など、金融機関が使用している既存の印鑑シールに倣って作成することができる。
不正出金防止シールへの表示は、印刷のほか、ゴム印による押印や手書きによる記載、などの方法によってすることができる。
また、この不正出金防止シールは、従来の印鑑表示欄に貼付される印鑑シールと兼ねるように形成することもできる。
預貯金通帳や証書の照合確認表示欄が枠付きタイプに形成されている場合、当該表示欄に不正出金防止シールを貼付することができる。不正出金防止シールの表示は、前述のとおり、「運転免許証」や「パスポート」と文字で略記して表示したり、或いは、「☆」などの符号や記号で表示したりすることができる。
また、預貯金通帳や証書の照合確認表示欄が枠なしタイプの場合、不正出金防止シールは預貯金通帳や証書の余白部に貼付することができる。また、その不正出金防止シールの表示は前述のとおり、「運転免許証照合」「パスポート確認」などの文字で簡記して表示したり、或いは、運転免許証やパスポートを表現した図形で表示したりすることができる。
本発明請求項３の預貯金通帳や証書では、請求項１又は２により作成された預貯金通帳や証書の照合確認表示欄に、本人以外の出金が不可である旨の表示を、例えば「本人以外出金不可」「本人以外払い出し不可」などの文字を記載することにより実施できる。
本発明請求項４の預貯金通帳や証書では、請求項１又は２により作成された預貯金通帳や証書の照合確認表示欄に、ＡＴＭカードを発行しない旨を、例えば「ＡＴＭカード発行不可」「ＡＴＭカード発行禁止」などの文字を記載することにより実施できる。
なお、本発明での写真付公的証明書とは、都道府県の公安委員会が交付する運転免許証や外務大臣名で交付されるパスポートなど、本人の顔写真が付いた公的証明書をいう。
【実施例１】
【００１０】    以下図面に基づいて実施例を説明する。
図１は、請求項１による預金通帳表紙裏面の平面図である。
預金通帳の表紙裏面１に、照合確認表示欄として、写真付公的証明書用の照合確認表示欄２が、印鑑表示欄Ａの表示場所の左横に並ぶように設けられている。
写真付公的証明書用の照合確認表示欄２には、預金者から申込書の提出を受けた銀行が、出金時には必ず運転免許証やパスポートなどの写真付公的証明書の呈示を受けて照合確認することを合意の上、写真付公的証明書との照合確認を要する旨の表示３がされる。
写真付公的証明書用の照合確認表示欄２は、枠付きタイプ４に形成されている。
枠で囲まれた欄の中には、「運転免許証」の文字がゴム印で押され、写真付公的証明書との照合確認を要する旨の表示３とされている。枠で囲まれた欄には「照合確認欄」とタイトルが付けられている。
印鑑表示欄Ａには、印影Ｂが押印された印鑑シールＣが貼付されている。
また、写真付公的証明書用の照合確認表示欄２には、運転免許証の番号Ｄが付記されている。この実施例では、運転免許証との照合確認がおこなわれる。
【実施例２】
【００１１】    図２は、請求項２による預金通帳表紙裏面の平面図である。
預金通帳の表紙裏面１に、照合確認表示欄として、写真付公的証明書用の照合確認表示欄２が、不正出金防止シール５により設けられている。
写真付公的証明書用の照合確認表示欄２は、枠なしタイプ６であって、預金通帳の表紙裏面１に設けられた印鑑表示欄Ａの左横の余白部に不正出金防止シール５が貼付されている。
不正出金防止シール５には、「パスポート照合」の文字がゴム印で押され、写真付公的証明書との照合確認を要する旨の表示３とされている。
また、写真付公的証明書用の照合確認表示欄２には、パスポートの番号Ｅが手書きで付記されている。この実施例では、パスポートとの照合確認がおこなわれる。
なお、不正出金防止シール５は、汚損や改ざんを防止するため、オーバーシート（図示省略）で被覆されている。
【実施例３】
【００１２】    図３は、請求項３による預金通帳表紙裏面の平面図である。
預金通帳の表紙裏面１に、照合確認表示欄として、写真付公的証明書用の照合確認表示欄２が不正出金防止シール５により設けられている。この不正出金防止シール５は、印鑑表示欄Ａに貼付されている印鑑シールＣと兼用される形に形成されている。
不正出金防止シール５には、「運転免許証照合」の文字が印刷され、写真付公的証明書との照合確認を要する旨の表示３とされている。この実施例では、運転免許証との照合確認がおこなわれる。
また、不正出金防止シール５には、本人以外の出金が不可である旨の表示７が、「本人以外出金不可」の印刷文字によって表示されている。
なお、不正出金防止シール５は、汚損や改ざん防止のため、オーバーシート（図示省略）で被覆されている。
【実施例４】
【００１３】    図４は、請求項４による預金通帳表紙裏面の平面図である。
預金通帳の表紙裏面１に、照合確認表示欄として、写真付公的証明書用の照合確認表示欄２が、不正出金防止シール５により設けられている。
表示するための欄を設けた枠付きタイプ４であって、不正出金防止シール５は、印鑑表示欄Ａの左横に設けられた枠で囲まれた欄の中に貼付されている。
不正出金防止シール５には、○の中に免の文字が入ったマーク化された図が印刷され、写真付公的証明書との照合確認を要する旨の表示３とされている。この実施例では、運転免許証との照合確認がおこなわれる。
また、不正出金防止シール５には、ＡＴＭカードを発行しない旨の表示８が、「ＡＴＭカード発行不可」の印刷文字によって表示されている。
また、請求項３の方法を取り入れ、本人以外の出金が不可である旨の表示７も印刷文字によって表示されている。
なお、不正出金防止シール５は、汚損や改ざん防止のため、オーバーシート（図示省略）で被覆されている。
【実施例５】
【００１４】    図５は、請求項１による預金通帳表紙表面の平面図である。
預金通帳の表紙表面９の通帳名称表示欄１０に、写真付公的証明書用の照合確認表示欄２を兼用させて設け、通帳名称表示１１として「写真付公的証明書照合式通帳」と印刷し、通帳名称表示１１と写真付公的証明書との照合確認を要する旨の表示３とを兼用表示している。
この写真付公的証明書照合式通帳は、預金者から申込書の提出を受けた銀行が、出金時には運転免許証かパスポートのいずれかの呈示を受けて照合確認することを合意の上で交付されている。この実施例では、運転免許証かパスポートのいずれかとの照合確認がおこなわれる。
【図面の簡単な説明】
【００１５】
【図１】 
【００１６】    請求項１による預金通帳表紙裏面の平面図である。【図２】 
【００１７】    請求項２による預金通帳表紙裏面の平面図である。【図３】 
【００１８】    請求項３による預金通帳表紙裏面の平面図である。【図４】 
【００１９】    請求項４による預金通帳表紙裏面の平面図である。【図５】 
【００２０】    請求項１による預金通帳表紙表面の平面図である。
【符号の説明】
【００２１】      １  預金通帳の表紙裏面
２  写真付公的証明書用の照合確認表示欄
３  写真付公的証明書との照合確認を要する旨の表示
４  枠付きタイプ
５  不正出金防止シール
６  枠なしタイプ
７  本人以外の出金が不可である旨の表示
８  ＡＴＭカードを発行しない旨の表示
９  預金通帳の表紙表面
１０  通帳名称表示欄
１１  通帳名称表示
Ａ  印鑑表示欄
Ｂ  印影
Ｃ  印鑑シール
Ｄ  運転免許証の番号
Ｅ  パスポートの番号
【図１】
2005262855.tif 000003
【図２】
2005262855.tif 000004
【図３】
2005262855.tif 000005
【図４】
2005262855.tif 000006
【図５】
2005262855.tif 000007
【手続補正書】
【提出日】平成16年5月21日(2004.5.21)
【手続補正１】
【補正対象書類名】明細書
【補正対象項目名】００１５
【補正方法】変更
【補正の内容】
【００１５】
【手続補正２】
【補正対象書類名】明細書
【補正対象項目名】００１６
【補正方法】変更
【補正の内容】
【００１６】
【図１】請求項１による預金通帳表紙裏面の平面図である。
【手続補正３】
【補正対象書類名】明細書
【補正対象項目名】００１７
【補正方法】変更
【補正の内容】
【００１７】
【図２】請求項２による預金通帳表紙裏面の平面図である。
【手続補正４】
【補正対象書類名】明細書
【補正対象項目名】００１８
【補正方法】変更
【補正の内容】
【００１８】
【図３】請求項３による預金通帳表紙裏面の平面図である。
【手続補正５】
【補正対象書類名】明細書
【補正対象項目名】００１９
【補正方法】変更
【補正の内容】
【００１９】
【図４】請求項４による預金通帳表紙裏面の平面図である。
【手続補正６】
【補正対象書類名】明細書
【補正対象項目名】００２０
【補正方法】変更
【補正の内容】
【００２０】
【図５】請求項１による預金通帳表紙表面の平面図である。